(57)【要約】【課題】  多重編成された複数の放送をそれぞれ表示出力する放送受信装置を実現する。【解決手段】  ＨＤ放送１チャンネルからＳＤ放送３チャンネルの多重編成放送に切替わると、復調部３ｅが出力する各サブチャンネル放送信号に各々対応したトランスポートストリームＴＳのＴＳパケットに含まれるＰＳＩセクション情報に基づき、サブチャンネル放送のいずれかがリプレイ放送であるかどうかを判断し、リプレイ放送が含まれる場合には、リプレイ放送の復号映像を小画面に縮小してメイン放送の復号映像に貼り付けるように映像合成する。これにより、多重編成された複数の放送をそれぞれ表示出力し得るようになる。【選択図】  図５
2006013768.tif 000002
【特許請求の範囲】
【請求項１】
受信復調された放送がＨＤ放送形式のメイン放送から、少なくともＳＤ放送形式のメイン放送とサブチャンネル放送とを含む多重編成放送に切替えられたか否かを検出する検出手段と、
前記検出手段が多重編成放送に切替えられたことを検出した場合、受信復調して復号されたＳＤ放送形式のメイン放送映像とサブチャンネル放送映像とを合成して出力する映像合成手段と
を具備することを特徴とする放送受信装置。
【請求項２】
受信復調された放送がＨＤ放送形式のメイン放送から、ＳＤ放送形式のメイン放送および複数のサブチャンネル放送を含む多重編成放送に切替えられたか否かを検出する検出手段と、
前記検出手段が多重編成放送に切替えられたことを検出した場合、受信復調された前記複数のサブチャンネル放送の各トランスポートストリームに含まれるＰＳＩセクション情報に基づき、これらサブチャンネル放送の内にメイン放送内容をリプレイするリプレイ放送が含まれているか否かを判定する判定手段と、
前記判定手段が前記複数のサブチャンネル放送の内にリプレイ放送が含まれていると判定した場合、受信復調して復号されたＳＤ放送形式のメイン放送映像およびリプレイ放送映像を合成して出力する映像合成手段と
を具備することを特徴とする放送受信装置。
【請求項３】
受信復調された放送がＨＤ放送形式のメイン放送から、ＳＤ放送形式のメイン放送および複数のサブチャンネル放送を含む多重編成放送に切替えられたか否かを検出する検出手段と、
前記検出手段が多重編成放送に切替えられたことを検出した場合、受信復調された前記複数のサブチャンネル放送の各トランスポートストリームに含まれるＰＳＩセクション情報に基づき、これらサブチャンネル放送の内にメイン放送内容をリプレイするリプレイ放送が含まれているか否かを判定する判定手段と、
第１および第２の表示態様のいずれかを指定する指定手段と、
前記判定手段により前記複数のサブチャンネル放送の内にリプレイ放送が含まれていると判定され、かつ前記指定手段により第１の表示態様が指定された場合には、受信復調して復号されたリプレイ放送映像を縮小し、縮小されたリプレイ放送映像を、受信復調して復号されたＳＤ放送形式のメイン放送映像に合成して出力し、一方、前記指定手段により第２の表示出力態様が指定された場合には、受信復調して復号されたＳＤ放送形式のメイン放送映像を縮小し、縮小されたメイン放送映像を、受信復調して復号されたリプレイ放送映像に合成して出力する映像合成手段と
を具備することを特徴とする放送受信装置。
【請求項４】
受信復調されたメイン放送に、当該メイン放送内容をリプレイするリプレイ映像のデータ放送が含まれているか否かを検出する検出手段と、
前記検出手段がリプレイ映像のデータ放送を検出した場合、受信復調されて復号されたデータ放送から得られるリプレイ映像を記憶しておき、記憶されたリプレイ映像を、受信復調して復号されたメイン放送映像に合成して出力する映像合成手段と
を具備することを特徴とする放送受信装置。
【請求項５】
受信復調された放送がＨＤ放送形式のメイン放送から、少なくともＳＤ放送形式のメイン放送とサブチャンネル放送とを含む多重編成放送に切替えられたか否かを検出する検出処理と、
前記検出処理にて多重編成放送に切替えられたことが検出された場合、受信復調して復号されたＳＤ放送形式のメイン放送映像とサブチャンネル放送映像とを合成して出力する映像合成処理と
をコンピュータで実行させることを特徴とする放送受信処理プログラム。
【請求項６】
受信復調された放送がＨＤ放送形式のメイン放送から、ＳＤ放送形式のメイン放送および複数のサブチャンネル放送を含む多重編成放送に切替えられたか否かを検出する検出処理と、
前記検出処理にて多重編成放送に切替えられたことが検出された場合、受信復調された前記複数のサブチャンネル放送の各トランスポートストリームに含まれるＰＳＩセクション情報に基づき、これらサブチャンネル放送の内にメイン放送内容をリプレイするリプレイ放送が含まれるか否かを判定する判定処理と、
前記判定処理にて前記複数のサブチャンネル放送の内にリプレイ放送が含まれていると判定された場合、受信復調して復号されたＳＤ放送形式のメイン放送映像およびリプレイ放送映像を合成して出力する映像合成処理と
をコンピュータで実行させることを特徴とする放送受信処理プログラム。
【請求項７】
受信復調された放送がＨＤ放送形式のメイン放送から、ＳＤ放送形式のメイン放送および複数のサブチャンネル放送を含む多重編成放送に切替えられたか否かを検出する検出処理と、
前記検出処理にて多重編成放送に切替えられたことが検出された場合、受信復調された前記複数のサブチャンネル放送の各トランスポートストリームに含まれるＰＳＩセクション情報に基づき、これらサブチャンネル放送の内にメイン放送内容をリプレイするリプレイ放送が含まれるか否かを判定する判定処理と、
第１および第２の表示態様のいずれかを指定する指定処理と、
前記判定処理にて前記複数のサブチャンネル放送の内にリプレイ放送が含まれていると判定され、かつ前記指定処理にて第１の表示態様が指定された場合には、受信復調して復号されたリプレイ放送映像を縮小し、縮小されたリプレイ放送映像を、受信復調して復号されたＳＤ放送形式のメイン放送映像に合成して出力し、一方、前記指定処理にて第２の表示態様が指定された場合には、受信復調して復号されたＳＤ放送形式のメイン放送映像を縮小し、縮小されたメイン放送映像を、受信復調して復号されたリプレイ放送映像に合成して出力する映像合成処理と
をコンピュータで実行させることを特徴とする放送受信処理プログラム。
【請求項８】
受信復調されたメイン放送に、当該メイン放送内容をリプレイするリプレイ映像のデータ放送が含まれているか否かを検出する検出処理と、
前記検出処理にてリプレイ映像のデータ放送が検出された場合、受信復調されて復号されたデータ放送から得られるリプレイ映像を記憶しておき、記憶されたリプレイ映像を、受信復調して復号されたメイン放送映像に合成して出力する映像合成処理と
をコンピュータで実行させることを特徴とする放送受信処理プログラム。
【発明の詳細な説明】
【技術分野】
【０００１】
本発明は、地上デジタルテレビジョン放送で行われる多重編成放送を受信する放送受信装置および放送受信処理プログラムに関する。
【背景技術】
【０００２】
地上デジタルテレビジョン放送（以下、地上デジタル放送と略記）では、１チャンネル当り約６ＭＨｚの伝送帯域幅を１３のセグメント（ＯＦＤＭセグメント）に分割し、例えばその内の１２セグメントを占有するＨＤ放送（ハイビジョン放送）や、３セグメントを占有するＳＤ放送（標準放送）を複数のサブチャンネルとして放送する等、多様な放送サービスが予定されている。
【０００３】
こうした地上デジタル放送を受信する装置として、例えば特許文献１には、デジタル放送信号を受信復調して得られるトランスポートストリーム中のパケットＩＤに基づいて１チャンネルのＨＤ放送であるか、あるいは複数のサブチャンネルのＳＤ放送のいずれであるかを判定し、複数のサブチャンネルのＳＤ放送であると判定された場合には、予め設定入力されたサブチャンネルを表示出力する放送受信機が開示されている。
【０００４】
【特許文献１】特開平１１−３５５２２５号公報
【発明の開示】
【発明が解決しようとする課題】
【０００５】
ところで、現行の地上アナログ放送で行われている、サッカーや野球などのスポーツ実況番組では、リアルタイムの映像を採録しながら放映し、ゴールやホームランなどの見せ場となるシーンがあった場合に、リアルタイムの映像に替えて、採録した見せ場のシーンを再生するリプレイ放映が行われる。通常、リプレイ放映はリアルタイム放映の見せ場と重ならないよう放送されるが、時として重なってしまい、このために視聴者はリアルタイム放映の見せ場を見逃す弊害が生じている。
【０００６】
そのため、地上デジタル放送では、その特徴を活かし、例えばリアルタイム放映するメイン放送をＨＤ放送（ハイビジョン放送）で行い、採録した見せ場のシーンを再生するリプレイ放送を行う時に、ＨＤ放送からＳＤ放送（標準放送）に切替えてメイン放送とリプレイ放送とを同時に放映する多重編成放送が提案されており、そうした放送形態であれば、上述したリアルタイム放映の見逃しを防ぐことが可能になる。しかしながら、上記特許文献１に開示の放送受信機では、ＨＤ放送からＳＤ放送に切替わると、多重編成放送のいずれか一つの放送しか受信表示することができない、という問題がある。
そこで本発明は、このような事情に鑑みてなされたもので、多重編成された複数の放送をそれぞれ受信表示することができる放送受信装置および放送受信処理プログラムを提供することを目的としている。
【課題を解決するための手段】
【０００７】
上記目的を達成するため、請求項１に記載の発明では、受信復調された放送がＨＤ放送形式のメイン放送から、少なくともＳＤ放送形式のメイン放送とサブチャンネル放送とを含む多重編成放送に切替えられたか否かを検出する検出手段と、前記検出手段が多重編成放送に切替えられたことを検出した場合、受信復調して復号されたＳＤ放送形式のメイン放送映像とサブチャンネル放送映像とを合成して出力する映像合成手段とを具備することを特徴とする。
【０００８】
請求項２に記載の発明では、受信復調された放送がＨＤ放送形式のメイン放送から、ＳＤ放送形式のメイン放送および複数のサブチャンネル放送を含む多重編成放送に切替えられたか否かを検出する検出手段と、前記検出手段が多重編成放送に切替えられたことを検出した場合、受信復調された前記複数のサブチャンネル放送の各トランスポートストリームに含まれるＰＳＩセクション情報に基づき、これらサブチャンネル放送の内にメイン放送内容をリプレイするリプレイ放送が含まれているか否かを判定する判定手段と、前記判定手段が前記複数のサブチャンネル放送の内にリプレイ放送が含まれていると判定した場合、受信復調して復号されたＳＤ放送形式のメイン放送映像およびリプレイ放送映像を合成して出力する映像合成手段とを具備することを特徴とする。
【０００９】
請求項３に記載の発明では、受信復調された放送がＨＤ放送形式のメイン放送から、ＳＤ放送形式のメイン放送および複数のサブチャンネル放送を含む多重編成放送に切替えられたか否かを検出する検出手段と、前記検出手段が多重編成放送に切替えられたことを検出した場合、受信復調された前記複数のサブチャンネル放送の各トランスポートストリームに含まれるＰＳＩセクション情報に基づき、これらサブチャンネル放送の内にメイン放送内容をリプレイするリプレイ放送が含まれているか否かを判定する判定手段と、第１および第２の表示態様のいずれかを指定する指定手段と、前記判定手段により前記複数のサブチャンネル放送の内にリプレイ放送が含まれていると判定され、かつ前記指定手段により第１の表示態様が指定された場合には、受信復調して復号されたリプレイ放送映像を縮小し、縮小されたリプレイ放送映像を、受信復調して復号されたＳＤ放送形式のメイン放送映像に合成して出力し、一方、前記指定手段により第２の表示出力態様が指定された場合には、受信復調して復号されたＳＤ放送形式のメイン放送映像を縮小し、縮小されたメイン放送映像を、受信復調して復号されたリプレイ放送映像に合成して出力する映像合成手段とを具備することを特徴とする。
【００１０】
請求項４に記載の発明では、受信復調されたメイン放送に、当該メイン放送内容をリプレイするリプレイ映像のデータ放送が含まれているか否かを検出する検出手段と、前記検出手段がリプレイ映像のデータ放送を検出した場合、受信復調されて復号されたデータ放送から得られるリプレイ映像を記憶しておき、記憶されたリプレイ映像を、受信復調して復号されたメイン放送映像に合成して出力する映像合成手段とを具備することを特徴とする。
【００１１】
請求項５に記載の発明では、受信復調された放送がＨＤ放送形式のメイン放送から、少なくともＳＤ放送形式のメイン放送とサブチャンネル放送とを含む多重編成放送に切替えられたか否かを検出する検出処理と、前記検出処理にて多重編成放送に切替えられたことが検出された場合、受信復調して復号されたＳＤ放送形式のメイン放送映像とサブチャンネル放送映像とを合成して出力する映像合成処理とをコンピュータで実行させることを特徴とする。
【００１２】
請求項６に記載の発明では、受信復調された放送がＨＤ放送形式のメイン放送から、ＳＤ放送形式のメイン放送および複数のサブチャンネル放送を含む多重編成放送に切替えられたか否かを検出する検出処理と、前記検出処理にて多重編成放送に切替えられたことが検出された場合、受信復調された前記複数のサブチャンネル放送の各トランスポートストリームに含まれるＰＳＩセクション情報に基づき、これらサブチャンネル放送の内にメイン放送内容をリプレイするリプレイ放送が含まれるか否かを判定する判定処理と、前記判定処理にて前記複数のサブチャンネル放送の内にリプレイ放送が含まれていると判定された場合、受信復調して復号されたＳＤ放送形式のメイン放送映像およびリプレイ放送映像を合成して出力する映像合成処理とをコンピュータで実行させることを特徴とする。
【００１３】
請求項７に記載の発明では、受信復調された放送がＨＤ放送形式のメイン放送から、ＳＤ放送形式のメイン放送および複数のサブチャンネル放送を含む多重編成放送に切替えられたか否かを検出する検出処理と、前記検出処理にて多重編成放送に切替えられたことが検出された場合、受信復調された前記複数のサブチャンネル放送の各トランスポートストリームに含まれるＰＳＩセクション情報に基づき、これらサブチャンネル放送の内にメイン放送内容をリプレイするリプレイ放送が含まれるか否かを判定する判定処理と、第１および第２の表示態様のいずれかを指定する指定処理と、前記判定処理にて前記複数のサブチャンネル放送の内にリプレイ放送が含まれていると判定され、かつ前記指定処理にて第１の表示態様が指定された場合には、受信復調して復号されたリプレイ放送映像を縮小し、縮小されたリプレイ放送映像を、受信復調して復号されたＳＤ放送形式のメイン放送映像に合成して出力し、一方、前記指定処理にて第２の表示態様が指定された場合には、受信復調して復号されたＳＤ放送形式のメイン放送映像を縮小し、縮小されたメイン放送映像を、受信復調して復号されたリプレイ放送映像に合成して出力する映像合成処理とをコンピュータで実行させることを特徴とする。
【００１４】
請求項８に記載の発明では、受信復調されたメイン放送に、当該メイン放送内容をリプレイするリプレイ映像のデータ放送が含まれているか否かを検出する検出処理と、前記検出処理にてリプレイ映像のデータ放送が検出された場合、受信復調されて復号されたデータ放送から得られるリプレイ映像を記憶しておき、記憶されたリプレイ映像を、受信復調して復号されたメイン放送映像に合成して出力する映像合成処理とをコンピュータで実行させることを特徴とする。
【発明の効果】
【００１５】
請求項１、５に記載の発明によれば、受信復調された放送がＨＤ放送形式のメイン放送から、少なくともＳＤ放送形式のメイン放送とサブチャンネル放送とを含む多重編成放送に切替えられると、受信復調して復号されたＳＤ放送形式のメイン放送映像とサブチャンネル放送映像とを合成して出力するので、多重編成された複数の放送をそれぞれ受信表示することができる。
【００１６】
請求項２、６に記載の発明によれば、受信復調された放送がＨＤ放送形式のメイン放送から、ＳＤ放送形式のメイン放送および複数のサブチャンネル放送を含む多重編成放送に切替えられると、受信復調された複数のサブチャンネル放送の各トランスポートストリームに含まれるＰＳＩセクション情報に基づき、これらサブチャンネル放送の内にメイン放送内容をリプレイするリプレイ放送が含まれているか否かを判定し、リプレイ放送が含まれていると、受信復調して復号されたＳＤ放送形式のメイン放送映像およびリプレイ放送映像を合成して出力するので、多重編成されたメイン放送およびリプレイ放送を受信表示することが出来、これにより前述したリアルタイム放映の見逃しを防ぐことが出来る。
【００１７】
請求項３、７に記載の発明によれば、受信復調された放送がＨＤ放送形式のメイン放送から、ＳＤ放送形式のメイン放送および複数のサブチャンネル放送を含む多重編成放送に切替えられると、受信復調された複数のサブチャンネル放送の各トランスポートストリームに含まれるＰＳＩセクション情報に基づき、これらサブチャンネル放送の内にメイン放送内容をリプレイするリプレイ放送が含まれているか否かを判定する。そして、リプレイ放送が含まれ、かつ第１の表示態様が指定されていれば、縮小されたリプレイ放送映像をメイン放送映像に合成して出力し、一方、第２の表示出力態様が指定されていると、縮小されたメイン放送映像をリプレイ放送映像に合成して出力するので、多重編成されたメイン放送およびリプレイ放送を受信表示することが出来、これにより前述したリアルタイム放映の見逃しを防ぐことが出来る。
【００１８】
請求項４、８に記載の発明によれば、受信復調されたメイン放送に、当該メイン放送内容をリプレイするリプレイ映像のデータ放送が含まれていると、受信復調されて復号されたデータ放送から得られるリプレイ映像を記憶しておき、記憶されたリプレイ映像を、受信復調して復号されたメイン放送映像に合成して出力するので、メイン放送およびリプレイ放送を受信表示することが出来、これにより前述したリアルタイム放映の見逃しを防ぐことが出来る。
【発明を実施するための最良の形態】
【００１９】
以下、図面を参照して本発明の実施の形態について説明する。
Ａ．第１の実施形態
（１）構成
図１は本発明の実施の一形態による放送受信装置１００の構成を示すブロック図である。この図において、チューナ２はアンテナ１を介してデジタル放送信号を選局受信する。なお、チューナ２が選局受信するデジタル放送信号は、例えばリアルタイム放映するメイン放送をＨＤ放送で行い、採録した見せ場のシーンを再生するリプレイ放送を行う時に、ＨＤ放送からＳＤ放送に切替えてメイン放送とリプレイ放送とを同時に放映する多重編成放送されるものとする。復調処理部３は、ゲートＧ１，Ｇ２、バンドパスフィルタ（以下、ＢＰＦと略記）３ａ〜３ｃおよび復調部３ｄ〜３ｅから構成される。
【００２０】
ゲートＧ１，Ｇ２は、後述するＣＰＵ９の指示に応じて、チューナ２の出力経路をオンオフする。具体的には、チューナ２が出力するデジタル放送信号がＨＤ放送の場合には、ＣＰＵ９の指示に応じて、ゲートＧ１がオン、ゲートＧ２がオフされ、ゲートＧ１を経てＨＤ放送のデジタル放送信号が復調部３ｄに供給される。一方、チューナ２が出力するデジタル放送信号がＳＤ放送の場合には、ＣＰＵ９の指示に応じて、ゲートＧ１がオフ、ゲートＧ２がオンされ、ゲートＧ２を経てＳＤ放送のデジタル放送信号がＢＰＦ３ａ〜３ｃに供給される。
【００２１】
ＢＰＦ３ａ〜３ｃは、それぞれ３セグメント幅のバンドパス特性を備え、ゲートＧ２を経て供給されるＳＤ放送のデジタル放送信号から対応するサブチャンネル放送信号帯域を抽出する。復調部３ｄは、ゲートＧ１を介して供給されるＨＤ放送のデジタル放送信号をＯＦＤＭ復調してトランスポートストリームＴＳを出力する。復調部３ｅは、ＢＰＦ３ａ〜３ｃが出力する３セグメント幅の各サブチャンネル放送信号をそれぞれＯＦＤＭ復調し、各サブチャンネル放送信号に各々対応したトランスポートストリームＴＳを出力する。音声・映像分離部４は、復調部３ｄからトランスポートストリームＴＳが供給される場合、そのトランスポートストリームＴＳからＨＤ放送に対応した番組パケットを分離抽出して出力する。また、音声・映像分離部４は、復調部３ｅからトランスポートストリームＴＳが供給される場合、そのトランスポートストリームＴＳからＳＤ放送に対応した各サブチャンネルの番組パケットを分離抽出する。
【００２２】
音声復号部５は、音声・映像分離部４が分離抽出した番組パケット中のＭＰＥＧ−２  ＡＡＣ形式の音声データを復号して出力する。映像復号部６は、音声・映像分離部４がＨＤ放送に対応した番組パケットを分離抽出した場合、その番組パケット中のＭＰＥＧ−２形式の映像データを復号して出力する。また、映像復号部６は、音声・映像分離部４がＳＤ放送に対応した各サブチャンネルの番組パケットをそれぞれ分離抽出した場合、各サブチャンネルの番組パケット中のＭＰＥＧ−２形式の映像データを各々復号して出力する。映像合成部７は、映像復号部６から供給される映像データがＨＤ放送に対応する場合には、その映像データをそのまま出力する。また、映像合成部７は、映像復号部６から供給される映像データがＳＤ放送に対応する場合には、各サブチャンネルの映像データを、ＣＰＵ９の指示に従って１つの映像に合成して出力する。
【００２３】
操作部８は、受信機能のオンオフを指示するＴＶスイッチや、映像合成形態を指示する映像スイッチ等を備え、スイッチ操作に応じたスイッチイベントを発生する。ＣＰＵ９は、装置各部の動作を制御するものであり、本発明の要旨に係わる処理動作（メインルーチン）については追って述べる。ＲＯＭ１０はＣＰＵ９が実行する各種処理プログラム（上記メインルーチンを含む）および所定の処理プログラムが参照する制御データ等を記憶する。ＲＡＭ１１は、ＣＰＵ９のワークエリアとして用いられ、各種レジスタ・フラグデータを一時記憶する。
【００２４】
（２）動作
次に、図２〜図６を参照してＣＰＵ９の動作を説明する。放送受信装置１００の電源をパワーオンすると、ＣＰＵ９は図２に図示するメインルーチンを実行してステップＳＡ１に進み、装置各部を初期化するイニシャライズを行う。なお、このイニシャライズでは、例えばゲートＧ１をオン設定にしてチューナ１の受信出力を復調部３ｄに供給させる。続いてステップＳＡ２以降では、ＴＶスイッチのオン操作および映像スイッチのオン操作に応じた処理を行う。以下では、ＴＶスイッチがオン操作された場合と、映像スイッチがオン操作された場合とに分けて動作説明を進める。
【００２５】
＜ＴＶスイッチがオン操作された場合＞
ＴＶスイッチがオン操作されていない状態では、ステップＳＡ２の判断結果が「ＮＯ」になり、ステップＳＡ３に進み、例えば電子番組表ＥＰＧを画面表示させる等の、その他の処理を実行する。そして、ＴＶスイッチがオン操作されると、ステップＳＡ２の判断結果が「ＹＥＳ」となり、ステップＳＡ４に進む。ステップＳＡ４では、復調部３ｄから出力されるトランポートストリームＴＳを取り出し、続くステップＳＡ５では、そのトランポートストリームＴＳがＨＤ放送に対応するものであるか否か、つまりＨＤ放送を受信しているかどうかを判断する。具体的には、トランスポートストリームＴＳ中のＴＳパケットに含まれるＰＳＩ（Program Specific Information）セクション情報を参照して判断する。ＨＤ放送を受信している場合には、判断結果が「ＹＥＳ」になり、ステップＳＡ６に進み、ゲートＧ１をオンさせ、ゲートＧ２をオフさせる。
【００２６】
次いで、ステップＳＡ７では、映像復号部６が出力する復号映像データをそのまま出力するよう映像合成部７に指示する。以後、ＴＶスイッチがオフ操作されるまでステップＳＡ８の判断結果が「ＮＯ」となり、上記ステップＳＡ４〜ＳＡ８を繰り返す。そして、ＴＶスイッチがオフ操作されると、ステップＳＡ８の判断結果が「ＹＥＳ」となり、上述のステップＳＡ２に処理を戻して放送受信を停止させる。
【００２７】
一方、例えばＨＤ放送１チャンネルからＳＤ放送３チャンネルの多重編成放送（サブチャンネル放送）に切替わると、上記ステップＳＡ５の判断結果が「ＮＯ」となり、ステップＳＡ９に進む。ステップＳＡ９では、ゲートＧ１をオフさせ、ゲートＧ２をオンさせる。これにより、チューナ１の受信出力はＢＰＦ３ａ〜３ｃを経て復調部３ｅに供給される。
次に、ステップＳＡ１０では、復調部３ｅが出力する各サブチャンネル放送信号に各々対応したトランスポートストリームＴＳの内容に基づき、サブチャンネル放送のいずれかがリプレイ放送であるかどうかを判断する。具体的には、トランスポートストリームＴＳを形成するＴＳパケットに含まれるＰＳＩ（Program Specific Information）セクション情報を参照して判断する。以下では、ＳＤ放送３チャンネルからなるサブチャンネル放送にリプレイ放送が含まれる場合と、含まれない場合とに分けて説明を進める。
【００２８】
ａ．サブチャンネル放送にリプレイ放送が含まれる場合
この場合、ステップＳＡ１０の判断結果が「ＹＥＳ」になり、ステップＳＡ１１に進み、ＳＤ放送３チャンネルからなるサブチャンネル放送の内、ＨＤ放送時と同じ放映内容のメイン放送の映像を検出する。なお、メイン放送検出は、上述したＰＳＩセクション情報を参照して行われる。次いで、図３に図示するステップＳＡ１２に進み、レジスタＮが「０」であるか否かを判断する。レジスタＮの値は、後述するように、映像スイッチのオン操作に応じて「０」又は「１」に変化するものであり、映像合成部７の映像合成態様（後述する）を指示する。
【００２９】
レジスタＮが「０」であると、上記ステップＳＡ１２の判断結果は「ＹＥＳ」になり、ステップＳＡ１３に進む。ステップＳＡ１３では、映像復号部６から映像合成部７に入力されるサブチャンネル放送の内、リプレイ放送の復号映像を小画面に縮小するよう映像合成部７に指示する。続いて、ステップＳＡ１４では、小画面に縮小したリプレイ放送の復号映像を、上記ステップＳＡ１１にて検出され、映像復号部６から映像合成部７に入力されるメイン放送の復号映像に貼り付けて出力するよう映像合成部７に指示する。これにより、映像合成部７からの映像出力を図示されていないディスプレイに表示すると、図５（ａ）に図示するように、ディスプレイの表示画面全体にメイン放送映像が表示され、その表示画面中の小画面にリプレイ放送映像が表示される結果、多重編成されたメイン放送およびリプレイ放送をそれぞれ表示出力することが可能になる。
【００３０】
一方、レジスタＮが「１」であれば、上記ステップＳＡ１２の判断結果が「ＮＯ」になり、ステップＳＡ１５に進む。ステップＳＡ１５では、上記ステップＳＡ１１にて検出され、映像復号部６から映像合成部７に入力されるメイン放送の復号映像を小画面に縮小するよう映像合成部７に指示する。そして、ステップＳＡ１６では、小画面に縮小したメイン放送の復号映像をリプレイ放送の復号映像に貼り付けて出力するよう映像合成部７に指示する。これにより、映像合成部７からの映像出力を図示されていないディスプレイに表示すると、図５（ｂ）に図示するように、ディスプレイの表示画面全体にリプレイ放送映像が表示され、その表示画面中の小画面にメイン放送映像が表示される結果、多重編成されたメイン放送およびリプレイ放送をそれぞれ表示出力することが可能になる。
【００３１】
ｂ．サブチャンネル放送にリプレイ放送が含まれない場合
この場合、ステップＳＡ１０（図２参照）の判断結果が「ＮＯ」になり、図４に図示するステップＳＡ２１に進み、上述のステップＳＡ１１と同様、メイン放送の映像を検出する。次いで、ステップＳＡ２２に進み、レジスタＮが「０」又は「１」のいずれであるか判断する。レジスタＮが「０」であると、ステップＳＡ２３に進み、映像復号部６から映像合成部７に入力されるサブチャンネル放送１の復号映像を小画面に縮小するよう映像合成部７に指示する。一方、レジスタＮが「１」であれば、ステップＳＡ２４に進み、映像復号部６から映像合成部７に入力されるサブチャンネル放送２の復号映像を小画面に縮小するよう映像合成部７に指示する。
【００３２】
そして、ステップＳＡ２５では、小画面に縮小したサブチャンネル放送１又はサブチャンネル放送２の復号映像をメイン放送の復号映像に貼り付けて出力するよう映像合成部７に指示する。これにより、映像合成部７からの映像出力を図示されていないディスプレイに表示すると、レジスタＮが「０」の場合には、図６（ａ）に図示するように、ディスプレイの表示画面全体にメイン放送映像が表示され、その表示画面中の小画面にサブチャンネル放送２が表示され、一方、レジスタＮが「１」の場合には、図６（ｂ）に図示するように、ディスプレイの表示画面全体にメイン放送映像が表示され、その表示画面中の小画面にサブチャンネル放送１が表示される結果、多重編成されたメイン放送およびサブチャンネル放送１又はサブチャンネル放送２のいずれかをそれぞれ表示出力することが可能になる。
【００３３】
＜映像スイッチがオン操作された場合＞
図５又は図６に図示したように、放送受信装置１００が多重編成された複数の放送をそれぞれ表示出力している最中にユーザが映像スイッチをオン操作したとする。そうすると、図３に図示するステップＳＡ１７の判断結果が「ＹＥＳ」になり、ステップＳＡ１８に進み、レジスタＮの値をインクリメントして歩進させる。次いで、ステップＳＡ１９では、歩進されたレジスタＮの値が「２」であるか否かを判断する。レジスタＮの値が「２」でなければ、判断結果は「ＮＯ」となり、何も処理せずに前述したステップＳＡ４（図２参照）に戻るが、レジスタＮの値が「２」であると、判断結果が「ＹＥＳ」になり、ステップＳＡ２０に進み、レジスタＮをゼロリセットした後、ステップＳＡ４に処理を戻す。したがって、映像スイッチをオン操作する毎に、レジスタＮの値は「０」、「１」、「０」、「１」…と変化する。
したがって、例えば図５（ａ）に図示する表示態様の時に、映像スイッチをオン操作すると、同図（ｂ）に図示する表示態様に変化し、さらに映像スイッチをオン操作すれば、図５（ａ）に図示する表示態様に戻る。同様に、図６（ａ）に図示する表示態様の時に、映像スイッチをオン操作すると、同図（ｂ）に図示する表示態様に変化し、さらに映像スイッチをオン操作すれば、図６（ａ）に図示する表示態様に戻る。
【００３４】
以上のように、第１の実施形態では、ＨＤ放送１チャンネルからＳＤ放送３チャンネルの多重編成放送に切替わると、復調部３ｅが出力する各サブチャンネル放送信号に各々対応したトランスポートストリームＴＳのＴＳパケットに含まれるＰＳＩセクション情報に基づき、サブチャンネル放送のいずれかがリプレイ放送であるかどうかを判断し、リプレイ放送が含まれる場合には、例えば図５（ａ）に図示するように、リプレイ放送の復号映像を小画面に縮小してメイン放送の復号映像に貼り付けるように映像合成させるため、多重編成された複数の放送をそれぞれ表示出力することが可能になっている。
【００３５】
Ｂ．第２の実施形態
（１）構成  
図７は、第２の実施形態による放送受信装置２００の構成を示すブロック図である。この図に示す放送受信装置２００において、前述した第１の実施形態と共通する構成要素には同一の番号を付し、その説明を省略する。放送受信装置２００が前述した第１の実施形態と相違する点は、データ復号部１２および映像メモリ１３を具備することにある。
本実施形態では、メイン放送と共に、番組連動コンテンツとしてリプレイ映像をデータ放送を受信することを前提としている。つまり、データ復号部１２は、音声・映像分離部４によってトランスポートストリームＴＳから分離抽出されたデータ放送パケットを番組連動コンテンツ（リプレイ映像）に復号する。映像メモリ１３は、ＣＰＵ９の制御の下に、データ復号部１２にて復号された番組連動コンテンツ（リプレイ映像）を記憶する。映像メモリ１３にストアされたリプレイ映像をメイン放送の映像に合成して多重編成された複数の放送をそれぞれ表示出力する。
【００３６】
（２）動作  
次に、図８〜図９を参照して第２の実施形態の動作を説明する。放送受信装置２００の電源をパワーオンすると、ＣＰＵ９は図８に示すメインルーチンを実行してステップＳＢ１に進み、装置各部を初期化するイニシャライズを行う。続いて、ステップＳＢ２では、ＴＶスイッチのオン操作の有無を判断する。ＴＶスイッチがオン操作されなければ、判断結果は「ＮＯ」になり、ステップＳＢ３に進み、例えば電子番組表ＥＰＧを画面表示させる等の、その他の処理を実行する。そして、ＴＶスイッチがオン操作されると、上記ステップＳＢ２の判断結果が「ＹＥＳ」となり、ステップＳＢ４に進む。ステップＳＢ４では、ＴＶスイッチのオン操作に応じて受信開始したデジタル放送信号にデータ放送が含まれているか否か、つまり音声・映像分離部４がトランスポートストリームＴＳからデータ放送パケットを分離抽出したかどうかを判断する。トランスポートストリームＴＳからデータ放送パケットが分離抽出できない場合には、判断結果が「ＮＯ」になり、後述のステップＳＢ１０に処理を進める。
【００３７】
一方、トランスポートストリームＴＳからデータ放送パケットを分離抽出すると、上記ステップＳＢ４の判断結果は「ＹＥＳ」となり、ステップＳＢ５に進む。ステップＳＢ５〜ＳＢ６では、その抽出したデータ放送パケットのヘッダ内容を参照して、当該データ放送パケットが「リプレイ放送の映像データ」であるかどうかを識別する。「リプレイ放送の映像データ」である場合にのみ、上記ステップＳＢ５、ＳＢ６の各判断結果が「ＹＥＳ」となり、ステップＳＢ７に進み、それ以外の場合には、ステップＳＢ１０に進む。
【００３８】
ステップＳＢ７では、「リプレイ放送の映像データ」を映像メモリ１３にストアし、続くステップＳＢ８では、データ放送が終了したか否かを判断する。データ放送が終了していなければ、判断結果は「ＮＯ」になり、ステップＳＢ１０に処理を進めるが、データ放送が終了した場合には、判断結果が「ＹＥＳ」となり、ステップＳＢ９に進み、フラグＲＦに「１」をセットし、「リプレイ放送の映像データ」を映像メモリ１３に格納し終えた旨を表す。そしてこの後、ステップＳＢ１０に進み、ＴＶスイッチのオフ操作の有無を判断する。
ＴＶスイッチがオフ操作されると、判断結果が「ＹＥＳ」となり、前述のステップＳＢ１に処理を戻すが、ＴＶスイッチがオフ操作されなければ、判断結果は「ＮＯ」になり、図９に図示するステップＳＢ１１に進む。ステップＳＢ１１では、フラグＲＦが「１」、すなわち「リプレイ放送の映像データ」が映像メモリ１３に格納し終えたかどうかを判断する。「リプレイ放送の映像データ」を映像メモリ１３に格納し終えていなければ、判断結果は「ＮＯ」となり、前述のステップＳＢ４（図８参照）に処理を戻す。
【００３９】
これに対し、「リプレイ放送の映像データ」を映像メモリ１３に格納し終えていると、上記ステップＳＢ１１の判断結果が「ＹＥＳ」になり、ステップＳＢ１２に進む。ステップＳＢ１２では、映像メモリ１３から「リプレイ放送の映像データ」を読み出し、それを映像合成部７に送出すると共に、映像合成部７に対して、映像復号部６から供給される復号映像データに「リプレイ放送の映像データ」を貼り付けて出力するよう指示する。次いで、ステップＳＢ１３では、映像メモリ１３から「リプレイ放送の映像データ」を全て読み出し終えたかどうかを判断する。全て読み出し終えていなければ、判断結果は「ＮＯ」になり、前述のステップＳＢ４（図８参照）に処理を戻すが、全て読み出し終えると、判断結果が「ＹＥＳ」になり、ステップＳＢ１４に進み、フラグＲＦをゼロリセットした後、前述のステップＳＢ４に処理を戻す。
【００４０】
これにより、映像合成部７からの映像出力を図示されていないディスプレイに表示すると、例えば図５（ａ）に図示するように、ディスプレイの表示画面全体にメイン放送映像が表示され、その表示画面中の小画面にリプレイ放送映像が表示される結果、メイン放送およびデータ放送（リプレイ放送映像）をそれぞれ表示出力することが可能になる。
【００４１】
このように、第２の実施形態では、メイン放送と共に、番組連動コンテンツとしてリプレイ映像をデータ放送するデジタル放送信号を受信し、そのデジタル放送信号を受信復調したトランスポートストリームＴＳからメイン放送の番組パケットとデータ放送パケットとを分離抽出し、メイン放送の番組パケットを音声・映像データに復号しながら、データ放送パケットを「リプレイ放送の映像データ」に復号して映像メモリに格納し、映像メモリから読み出した「リプレイ放送の映像データ」とメイン放送の復号映像データとを合成して映像出力するので、メイン放送およびデータ放送（リプレイ放送映像）をそれぞれ表示出力することが可能になる。
また、第２の実施形態では、データ放送として送出されるリプレイ放送映像をダウンロード受信するので、メイン放送がＨＤ放送である場合、メイン放送の画質を落とすことなくデータ放送（リプレイ放送映像）を表示出力することが可能になる。
【図面の簡単な説明】
【００４２】
【図１】第１の実施形態による放送受信装置１００の構成を示すブロック図である。
【図２】第１の実施形態におけるＣＰＵ９が実行するメインルーチンの動作を示すフローチャートである。
【図３】第１の実施形態におけるＣＰＵ９が実行するメインルーチンの動作を示すフローチャートである。
【図４】第１の実施形態におけるＣＰＵ９が実行するメインルーチンの動作を示すフローチャートである。
【図５】第１の実施形態の動作を説明するための図である。
【図６】第１の実施形態の動作を説明するための図である。
【図７】第２の実施形態による放送受信装置２００の構成を示すブロック図である。
【図８】第２の実施形態におけるＣＰＵ９が実行するメインルーチンの動作を示すフローチャートである。
【図９】第２の実施形態におけるＣＰＵ９が実行するメインルーチンの動作を示すフローチャートである。
【符号の説明】
【００４３】
１  アンテナ
２  チューナ
３  復調処理部
３ａ〜３ｃ  バンドパスフィルタ
３ｄ〜３ｅ  復調部
４  音声・映像分離部
５  音声復号部
６  映像復号部
７  映像合成部
Ｇ１〜Ｇ２  ゲート
【図１】
2006013768.tif 000003
【図２】
2006013768.tif 000004
【図３】
2006013768.tif 000005
【図４】
2006013768.tif 000006
【図５】
2006013768.tif 000007
【図６】
2006013768.tif 000008
【図７】
2006013768.tif 000009
【図８】
2006013768.tif 000010
【図９】
2006013768.tif 000011